(57)【要約】【課題】本発明は、エネルギー消費量を削減することができるマウスを提供することを目的とする。【解決手段】本発明に係るマウスは、ハウジング及びハウジングに収容される自動加熱部材を備える。自動加熱部材は、マウスが操作されているかどうかを感知し、且つマウスが操作されていることを感知した場合、人体感知信号を出力する人体感知装置と、熱を生じてマウスを加熱するための加熱装置と、使用者の操作に応答して温度制限信号を出力して加熱装置の温度を制限し、温度制限信号が加熱装置の加熱によって生じた熱の上限温度を示す温度制御スイッチと、人体感知信号を受信した場合、前記加熱装置を制御して加熱し始め、且つ前記温度制限信号に基づいて加熱装置の温度を制御する制御器と、を備える。【選択図】図１
2014002733.tif 000002
【特許請求の範囲】
【請求項１】
ハウジング及び前記ハウジングに収容される自動加熱部材を備えるマウスであって、
前記自動加熱部材は、
前記マウスが操作されているかどうかを感知し、且つ前記マウスが操作されていることを感知した場合、人体感知信号を出力する人体感知装置と、
熱を生じて前記マウスを加熱するための加熱装置と、
使用者の操作に応答して温度制限信号を出力して前記加熱装置の温度を制限し、前記温度制限信号が前記加熱装置の加熱によって生じる熱の上限温度を示す温度制御スイッチと、
前記人体感知信号を受信した場合、前記加熱装置を制御して加熱し始め、且つ前記温度制限信号に基づいて前記加熱装置の温度を制御する制御器と、
を備えることを特徴とするマウス。
【請求項２】
前記人体感知装置は、前記ハウジングに設置される赤外線感知器であり、前記マウスの外部に向かって赤外線を発射し、反射された赤外線を受信した場合、前記マウスは既に操作されたことを示し、且つ人体感知信号を出力することを特徴とする請求項１に記載のマウス。
【請求項３】
前記マウスは温度感知装置をさらに備え、前記温度感知装置は、前記加熱装置の温度を感知し、且つ該温度に基づいて対応する温度感知信号を前記制御器に出力し、前記制御器は、前記温度感知信号が示す温度と温度制限信号によって定義された上限温度とを比較し、前記加熱装置の温度と前記上限温度とが異なる場合、前記制御器は、前記加熱装置を制御して、前記加熱装置の温度と温度制限信号によって定義された上限温度とを同じに維持することを特徴とする請求項１又は２に記載のマウス。
【請求項４】
前記ハウジング内には、前記加熱装置を搭載して収容するための搭載部が設置され、前記搭載部は、開口部を有する収容箱であることを特徴とする請求項１〜３のいずれか１項に記載のマウス。
【請求項５】
前記マウスは、前記開口部に設置されるヒートシンクを備え、前記加熱装置が生じた熱を前記ハウジングに伝導することを特徴とする請求項４に記載のマウス。
【請求項６】
前記ヒートシンクは、基材及び前記基材に直交して設置される複数のフィンを備え、前記基材は、前記開口部を被覆して封鎖し、前記複数のフィンは、前記収容箱に収容されることを特徴とする請求項５に記載のマウス。
【請求項７】
前記マウスは、機能ユニットを備え、前記機能ユニットは、使用者によって入力される操作信号を受信して処理し、前記機能ユニットと前記自動加熱部材とは、同じ電源電圧を受け取り、且つその電源電圧によって駆動されて作動することを特徴とする請求項１〜６のいずれか１項に記載のマウス。
【発明の詳細な説明】
【技術分野】
【０００１】
本発明は、マウス、特に自動的に加熱することができるマウスに関するものである。
【背景技術】
【０００２】
マウスは、コンピュータの主な入力装置の１つとして広く使用されているが、冬の気温が低い時などは、マウスを操作している手がかじかみ柔軟な操作ができない場合があり、マウスの操作に影響を与える。従来の加熱できるマウスは、電源を入れるとすぐに起動して加熱するか又はスイッチを介して加熱機能を起動して加熱する。しかし、電源を入れている過程において、マウスが無操作状態でもずっと加熱されるため、電力が浪費される。
【発明の概要】
【発明が解決しようとする課題】
【０００３】
本発明の目的は、前記課題を解決し、エネルギー消費量を削減することができるマウスを提供することである。
【課題を解決するための手段】
【０００４】
本発明に係るマウスは、ハウジング及び前記ハウジングに収容される自動加熱部材を備える。前記自動加熱部材は、前記マウスが操作されているかどうかを感知し、且つ前記マウスが操作されていることを感知した場合、人体感知信号を出力する人体感知装置と、熱を生じて前記マウスを加熱するための加熱装置と、使用者の操作に応答して温度制限信号を出力して前記加熱装置の温度を制限し、前記温度制限信号が前記加熱装置の加熱によって生じる熱の上限温度を示す温度制御スイッチと、前記人体感知信号を受信した場合、前記加熱装置を制御して加熱し始め、且つ前記温度制限信号に基づいて前記加熱装置の温度を制御する制御器と、を備える。
【発明の効果】
【０００５】
本発明のマウスは、マウスが操作されていることを感知すると、加熱が開始される。従って、エネルギー消費量を削減することができる。
【図面の簡単な説明】
【０００６】
【図１】本発明の実施形態に係るマウスの機能ブロック図である。
【図２】本発明の実施形態に係るマウスの分解斜視図である。
【発明を実施するための形態】
【０００７】
以下、図面を参照して、本発明の実施形態について説明する。
【０００８】
図１を参照すると、本発明の実施形態に係るマウス１は、機能ユニット１０及び自動加熱部材２０を備える。自動加熱部材２０は、マウス１に熱を提供し、マウス１の外表面を設定した温度に維持するために用いられる。機能ユニット１０は、マウスの機能を実現する制御回路を備え、使用者の操作に応答して対応する制御信号を生成し、且つその制御信号をコンピュータ又は他の受信装置（図示せず）に伝送する。なお、機能ユニット１０と自動加熱部材２０は、同じ電源電圧Ｖｃｃを受け取り、且つこの電源電圧Ｖｃｃによって駆動されて作動する。電源電圧Ｖｃｃは、ＵＳＢポート又はＰＳ／２ポートを介してコンピュータから供給される電圧又はマウス１の内部に設置されている電源が供給する電圧とすることができる。
【０００９】
自動加熱部材２０は、加熱装置２１０と、人体感知装置２３０と、温度制御スイッチ２５０と、制御器２７０と、温度感知装置２９０と、を備える。制御器２７０は、加熱装置２１０、人体感知装置２３０、温度制御スイッチ２５０及び温度感知装置２９０に電気的に接続される。
【００１０】
加熱装置２１０は、熱を生じてマウス１を加熱するために用いられる。本実施形態において、加熱装置２１０は、電熱変換素子（例えば、電熱線）であり、電気エネルギーを熱エネルギーに変換するために用いられる。他の実施形態において、加熱装置２１０は、マイクロ波加熱素子、赤外線加熱素子などのような加熱素子であっても良い。
【００１１】
人体感知装置２３０は、マウス１が操作されているかどうかを感知し、且つマウス１が操作されていることを感知した場合、人体感知信号を出力する。本実施形態において、人体感知装置２３０は、赤外線感知器である。マウス１の外部に向かって赤外線が発射され、使用者の手がマウス１に触れた際に赤外線は使用者の手によって反射される。赤外線感知器は、使用者の手によって反射された赤外線を受信し、且つ人体感知信号を制御器２７０に出力して、マウス１が既に操作されていることを示す。
【００１２】
温度制御スイッチ２５０は、使用者の操作に応答して温度制限信号を出力して加熱装置２１０の温度を制限するために用いられる。本実施形態において、温度制御スイッチ２５０は、多位置選択スイッチであり、異なる温度制限信号を制御器２７０に出力するか又は加熱中止信号を制御器２７０に出力する。温度制限信号は、加熱装置２１０が加熱する時に生じる熱の上限温度を示す。本実施形態において、温度制御スイッチ２５０は、高、中、低及び中止のなどの４つの回転位置を備える。回転位置が高の場合、上限温度が６０℃である第一温度制限信号を生成する。回転位置が中の場合、上限温度が４５℃である第二温度制限信号を生成する。回転位置が低の場合、上限温度が３５℃である第三温度制限信号を生成する。回転位置が中止の場合、加熱中止信号を生成して制御器２７０に送信し、マウス１の加熱機能を中止する。他の実施形態において、中止の回転位置は省略することができ、回転位置の数量は必要に応じて調整することができる。
【００１３】
温度感知装置２９０は、加熱装置２１０の温度又はマウス１の外表面の温度を感知して、該温度に基づいて対応する温度感知信号を出力するために用いられる。本実施形態において、温度感知装置２９０は温度センサーであり、加熱装置２１０の温度を感知し、加熱装置２１０の温度に対応して温度感知信号を制御器２７０に送信する。
【００１４】
マウス１が使用者によって操作される場合、制御器２７０は、加熱装置２１０を制御して加熱し始め、且つ温度制限信号及び温度感知信号に基づいて加熱装置２１０の温度を制御し、加熱装置２１０の温度と温度制限信号の上限温度を同じに維持する。具体的には、制御器２７０が人体感知信号を受信した（即ち、温度制御スイッチ２５０が温度制限信号を出力した）場合、加熱装置２１０を制御して加熱し始めるとともに、制御器２７０は、温度感知信号が示す温度と温度制限信号によって定義された上限温度とを比較する。加熱装置２１０の温度又はマウス１の外表面の温度が上限温度より高い場合、制御器２７０は、加熱装置２１０を制御して加熱を中止する。加熱装置２１０の温度又はマウス１の外表面の温度が上限温度より低い場合、制御器２７０は、加熱装置２１０を制御して加熱し続けて、加熱装置２１０の温度又はマウス１の外表面の温度と温度制限信号によって定義された上限温度を同じに維持する。
【００１５】
図２を併せて参照すると、本実施形態において、マウス１は、ハウジング３０と、マウスボタン（図示せず）と、ホイール（図示せず）と、を備える。ハウジング３０は、上ハウジング３０１及び下ハウジング３０３を備える。上ハウジング３０１と下ハウジング３０３は係合して収容空間を形成する。下ハウジング３０３は、マウス１を搭載する搭載面に当接するために用いられる。上ハウジング３０１は、操作者の掌を当接させるために用いられる。自動加熱部材２０は、ハウジング３０によって形成された前記収容空間に収容される。
【００１６】
ハウジング３０内には、搭載部３１０及びヒートシンク３３０が設置されている。搭載部３１０は、加熱装置２１０を搭載して収容するために用いられる。本実施形態において、温度感知装置２９０は、加熱装置２１０の温度を感知し、加熱装置２１０は、搭載部３１０内に収容される。従って、温度感知装置２９０も共に搭載部３１０内に収容される。他の実施形態において、マウス１の外表面の温度を感知する場合、温度感知装置２９０は、搭載部３１０の外部に設置される。
【００１７】
搭載部３１０は、下ハウジング３０３から上ハウジング３０１に向かって延在している収容箱３１２である。収容箱３１２は、上ハウジング３０１に対応する開口部３１１を有する。収容箱３１２は断熱材からなる。加熱装置２１０は、収容箱３１２の下ハウジング３０３に近接する底部に設置される。
【００１８】
ヒートシンク３３０は、基材３３２及び基材３３２に直交して設置された複数のフィン３３１を備える。基材３３２は、開口部３１１を被覆して封鎖し、加熱装置２１０から生じた熱をハウジング３０に伝導して上ハウジング３０１を加熱させる。複数のフィン３３１は、収容箱３１２に収容されるため、熱伝導効率を高めることができる。本実施形態において、ヒートシンク３３０の基材３３２及びフィン３３１は、アルミニウムからなる導熱素子である。他の実施形態において、基材３３２の形状は、アーク形であっても良い。これにより、放熱面積を増加させることができる。また、加熱装置２１０をヒートシンク３３０に近接する位置に設置することによって、加熱伝導効率を高めることができる。また、加熱装置２１０は、フィン３３１に直接に貼り付けても良い。
【００１９】
人体感知装置２３０と制御器２７０は、搭載部３１０の外部に設置される。上ハウジング３０１には、人体感知装置２３０が赤外線を発射する方向に対応する位置に貫通孔３０２（図２に示した点線部分を参照）が設けられて、赤外線をハウジング３０の外部に出射する。温度制御スイッチ２５０は、ハウジング３０に埋め込まれ、且つ温度制御スイッチ２５０の一部分は、ハウジング３０から露出して使用者によって操作される。また、加熱装置２１０、人体感知装置２３０、温度制御スイッチ２５０及び温度感知装置２９０は、信号線（図示せず）を介して制御器２７０に電気的に接続されて互いに電気信号を伝送する。
【００２０】
温度感知装置２９０によって加熱装置２１０の温度を感知するために、マウス１の外表面を設定の温度に維持することで、マウス１の加熱の信頼性を向上させる。
【００２１】
以上、本発明を実施形態に基づいて具体的に説明したが、本発明は、上述の実施形態に限定されるものではなく、その要旨を逸脱しない範囲において、種々の変更が可能であることは勿論であって、本発明の保護範囲は、以下の特許請求の範囲から決まる。
【符号の説明】
【００２２】
１  マウス
１０  機能ユニット
２０  自動加熱部材
３０  ハウジング
２１０  加熱装置
２３０  人体感知装置
２５０  温度制御スイッチ
２７０  制御器
２９０  温度感知装置
３０１  上ハウジング
３０２  貫通孔
３０３  下ハウジング
３１０  搭載部
３１１  開口部
３１２  収容箱
３３０  ヒートシンク
３３１  フィン
３３２  基材
【図１】
2014002733.tif 000003
【図２】
2014002733.tif 000004